(57)【要約】  【課題】  被貼着板の板面全面にわたり被装シートを密着させるための作業性、生産性の向上に好適な被装シートの貼着機を提供すること。  【解決手段】  被貼着板の板面に被装シートを貼着するための主体部と、この主体部に前記被貼着板を給送するための搬入台部と、主体部により前記被装シートが貼着された被貼着板を排送するための搬出台部からなり、主体部は、巻回した被装シートの架台部と、被装シートの張力及び送り方向を偏向調整して被貼着板の送り方向と整合させるテンション機構と、搬入台部から給送された被貼着板を、駆動ローラーと、この駆動ローラー方向への付勢と昇降動調整する昇降押圧調整機構を有する押圧ローラーとの間に通過させるに伴ない、この被貼着板の板面に前記被送シートを圧接しながら貼着しつつ搬出台部方向に排送する貼着部を備えており、更には前記主体部と搬入台部と搬出台部のそれぞれは、切離し可能な連結手段により貼着作業可能な状態に連結され、しかもそれぞれは、移動及び据付け位置固定手段を備えていることを特徴とする被装シートの貼着機。【選択図】    図２
2005041533.tif 000002
【特許請求の範囲】
【請求項１】
被貼着板の板面に被装シートを貼着するための主体部と、
前記主体部に前記被貼着板を給送するための搬入台部と、
前記主体部により前記被装シートが貼着された前記被貼着板を排送するための搬出台部からなり、
前記主体部は、巻回した前記被装シートの架台部と、
前記被装シートの張力及び送り方向を偏向調整して前記被貼着板の送り方向と整合させるテンション機構と、
前記搬入台部から給送された前記被貼着板を、駆動ローラーと、この駆動ローラー方向への付勢と昇降動調整する昇降押圧調整機構を有する押圧ローラーとの間に通過させるに伴ない、この被貼着板の板面に前記被送シートを圧接しながら貼着しつつ前記搬出台部方向に排送する貼着部を備えていることを特徴とする被装シートの貼着機。
【請求項２】
主体部と搬入台部と搬出台部のそれぞれは、切離し可能な連結手段により貼着作業可能な状態に連結されており、しかもそれぞれは、移動及び据付け位置固定手段を備えていることを特徴とする前記請求項１に記載の被装シートの貼着機。
【発明の詳細な説明】
【技術分野】
【０００１】
本発明は主に、製造加工過程や製品の運搬過程において、傷が付き易いアルミニウム板や、用途上光り物と称され傷がつくと困るステンレススチール板の板面を保護するために、ポリ塩化ビニール製などの合成樹脂シートからなる被装シートを密着貼付する被装シートの貼着機に関するものである。
【背景技術】
【０００２】
アルミニウム板やステンレススチール板（以下被貼着板）などの板面を保護するために被装シートを貼着する従来の技術は、発明者の知得する範囲において、被装シートの接着剤塗布面側を被貼着板の隅部位に当て、反対面側から手持ローラーやゴムへらなどで擦り付けながら空気が入らないように貼着していくのが一般的と思われる。
【発明の開示】
【発明が解決しようとする課題】
【０００３】
やわらかい素材のアルミニウム板や、光り物とされるステンレススチール板による製品は、運搬過程などにおいて傷が付くと不良品として扱われるので、製造加工前の板材の段階から塩化ビニールなど合成樹脂シートの一方面に接着剤が塗布された被装シートを板面に貼着して傷が付かないように保護している。
【０００４】
しかし、貼着された被装シートと被貼着板面の間に空気が入るいわゆる浮いた個所があると、加工過程や搬送過程においてその部位が破れて剥離し易くなることから、貼着作業にあたって、板面全面にわたり被装シートが密着されていることを要求されるものであるが、上記従来の技術のごとくな手作業では熟練を要すると共に、煩雑な作業となり生産性、作業性が悪い。
【０００５】
本発明は前記を考慮して、作業性生産性の向上に好適な被装シートの貼着機を提供することを目的とするものである。
【課題を解決するための手段】
【０００６】
上記目的を達成するための被装シートの貼着機は、被貼着板の板面に被装シートを貼着するための主体部と、この主体部に前記被貼着板を給送するための搬入台部と、主体部により前記被装シートが貼着された被貼着板を排送するための搬出台部からなり、主体部は、巻回した被装シートの架台部と、被装シートの張力及び送り方向を偏向調整して被貼着板の送り方向と整合させるテンション機構と、搬入台部から給送された被貼着板を、駆動ローラーと、この駆動ローラー方向への付勢と昇降動調整する昇降押圧調整機構を有する押圧ローラーとの間に通過させるに伴ない、この被貼着板の板面に前記被送シートを圧接しながら貼着しつつ搬出台部方向に排送する貼着部を備えており、更には前記主体部と搬入台部と搬出台部のそれぞれは、切離し可能な連結手段により貼着作業可能な状態に連結され、しかもそれぞれは、移動及び据付け位置固定手段を備えていることを特徴とするものである。
【発明の効果】
【０００７】
本発明における被装シートの貼着機は、被貼着板の板面に被装シートを貼着する主体部と、この主体部に被貼着板を給送する搬入台部と、主体部において被装シートが貼着された被貼着板を排送する搬出台部からなり、主体部は、被装シートを巻回した被装シートロールの架台部と、被装シートの張力及び送り方向を偏向調整し、被貼着板の送り方向とのずれを整合するテンション機構と、搬入台部から給送された被貼着板を、駆動ローラーと、この駆動ローラー方向への昇降押圧調整機構を有する押圧ローラーとの間に通過させるに伴ない、この被貼着板の板面に送り方向先端部位から順次被装シートを圧接しながら貼着しつつ搬出台部方向に排送する貼着部を備えているものであるから、搬入台部上に被貼着板を載置して主体部に給送し、駆動ローラーと押圧ローラー間を通過させるだけで板面の先端部位から被装シートが順次貼着されるので、被貼着板と被装シートの間に空気が入ることなく貼着され、また押圧ローラーを昇降押圧調整機構により調整動することにより、被貼着板の板厚寸法や、被装シートの圧接力を調整することも可能であると共に、テンション機構により被装シートの送りを偏向調整することにより、被貼着板の送り方向とのずれをなくすことができるので、被装シートがずれることなく板面上に貼着され、更に、この貼着機における主体部と搬入台部と搬出台部のそれぞれは、切離し可能な連結手段により連結されており、しかもそれぞれは、移動、据付け位置固定手段を備えており、それぞれを別個に移動できると共に、所望設置場所でこれらを連結して据付けることができるから、多数の被貼着板が積重ねられた場所ごとで貼着作業ができることとなるもので、被装シートが正確、綺麗に貼着できるばかりか、簡易作業ともなり、生産、作業能率の向上に益するものである。
【実施例】
【０００８】
図は本発明に係る被装シート貼着機の一実施例を示すもので、以下各図に基き説明する。
【０００９】
図１は、傷が付きやすいアルミニウム板や光り物とされるステンレススチール板などの被貼着板Ａに、塩化ビニールなど合成樹脂シートの一方面に接着剤が塗布された被装シートＢを貼着する貼着機の全体側面図で、この貼着機１は、中央部位の主体部２と右側部位の搬入台部３ａと、左側部位の搬出台部３ｂとで構成されている。
【００１０】
そして主体部２は、対抗する側面視逆Ｔ字状の側枠４ａと、この両側枠４ａ，４ａ間に架設された桁材４ｂ，４ｂとで機台４が構成され、この機台４の前記両側枠４ａ，４ａ間に、上方位より順次被装シートＢを回巻した被装シートロール５とテンション杆６と押圧ローラー７及び駆動ローラー８が横架配設されている。
【００１１】
前記被装シートロール５は、被装シートＡを巻回した筒軸中空内に支持軸９を挿通して筒軸両端部位をテーパーボス１０で挟持することにより支持軸９に装着されており、この支持軸９の両端部位それぞれが各側枠４ａの頂部位に固設された軸承台１１よりなる架台部の凹部１１ａに回転かつ装脱可能に支承された状態で横架されている。
【００１２】
前記テンション杆６は、杆端のそれぞれが、機台４の各側枠４ａ，４ａに配設されたテンション機構１２の調整板１２ａに固着され、この調整板１２ａ，１２ａのそれぞれに穿設された垂直長孔１２ｂ，１２ｂを介してボルト１２ｃ，１２ｃで側枠４ａに締付けられた状態で横架されているもので、テンション機構１２は、垂直長孔１２ｂ，１２ｂに挿通されたボルト１２ｃ，１２ｃを弛緩して調整板１２ａ，１２ａを上下方向に移動させることにより、テンション杆６の全体若くは一方端を上方或いは下方に調整移動するものである。
【００１３】
前記押圧ローラー７と駆動ローラー８は、被貼着板Ａの板面に被装シートＢを貼着する貼着部を構成するもので、全周面がゴムなどの弾性材で被覆され、たがいの軸心が垂直に配列されており、押圧ローラー７は、軸端のそれぞれが各側枠４ａ，４ａに固設された垂直ガイド１３，１３間に摺嵌されている軸承体１４，１４に支承されており、各軸承体１４には、昇降動用の垂直ボルト１５と押圧用のスプリング１８を備えた昇降、押圧調整機構が配装されている。
【００１４】
昇降、押圧調整機構における垂直ボルト１５は、上方部位が機台４の側枠４ａに固定された支持体１６に螺合され、その下端部位に押圧ローラー７の軸承体１４が吊下されており、中央部位に螺合された鍔片１７と、軸承体１４の上面部間にスプリング１８が縮設されている。
【００１５】
これにより軸承体１４は、スプリング１８の付勢により駆動ローラー８方向に押下動されていると共に、付勢に抗して上昇動可能に配設されており、従って押圧ローラー７は、垂直ボルト１５の回動操作による昇降動調整と、押下圧調整がなされる。
【００１６】
駆動ローラー８は、両軸端のそれぞれが各側枠４ａ，４ａに固定された軸承体１９，１９で支承され、一方軸端付近に固定されたプーリー２０と桁材４ｂ上に固設された駆動モーター２１軸のプーリー２１ａとの間にベルト２２が懸架されており、駆動ローラー８はこの駆動モーター２１によりベルト２２を介して回動される。
【００１７】
更にこの主体部２は、移動及び据付け位置固定手段を備え、各逆Ｔ字状側枠４ａ，４ａにおける各水平台枠材４ｃ，４ｃの両端付近の底部位には、移動用キャスター２３と、踏作動による伸長状態において、前記移動用キャスター２３が浮上り、これにより移動が阻止される踏作動伸縮脚杆２４ａによる据付け位置固定ストッパー２４が配設されており、これにより主体部２は所望位置（場所）に移動かつ据付け（設置）可能となっている。
【００１８】
主体部２の左右側部位に配置された前記搬入台部３ａと搬出台部３ｂのそれぞれは、方形に枠組された架台３０の上面部位に、複数のローラー列によるローラーコンベア３１と複数の小型キャスター列によるキャスターコンベア３２が配設されており、ローラーコンベア３１は、架台３０の上面部位において、主体部２方向となる一方端に偏した部位に、各ローラー３１ａの軸心が平行となる態様で配列され、キャスターコンベア３２はこのローラー３１ａ列に続いて配列されているもので、このローラーコンベア３１の各ローラー３１ａとキャスターコンベア３２の各転子の円周上端部位が同水平面上となるように配設されているものである。
【００１９】
またこの搬入台部３ａ及び搬出台部３ｂは、架台３０の底部位における主体部２方向となる部位に、前記主体部２と同様の移動用キャスター２３が、これと対向する反主体部２方向となる部位に、移動キャスター２３と据付け位置固定ストッパー２４が配設され、それぞれが移動可能かつ所望位置（場所）に設置（据付け）可能となっており、更に主体部２との間には切離し可能な連結手段を備えている。
【００２０】
連結手段は、搬入台部３ａ及び搬出台部３ｂに配設された各ローラーコンベア３１における主体部２方向となる最端部位の下位置にあたる枠片に、下向きの連結ピン３３が突設されており、主体部２にあっては、対向する両側枠４ａ，４ａ間に横架された駆動ローラー８を中央とする搬入台部３ａ側と搬出台部３ｂ側のそれぞれに、この駆動ローラー８と平行に受板３４，３４が架設され、この受板３４，３４に、前記搬入台部３ａと搬出台部３ｂの各連結ピン３３が嵌合する連結孔３５が配設された構成となっている。
【００２１】
そして主体部２の搬入側の連結孔３５に搬入台部３ａの連結ピン３３を、搬出側の連結孔３５に搬出台部３ｂの連結ピン３３を嵌込むことにより主体部２と搬入台部３ａ、搬出台部３ｂのそれぞれが連結状態となり、この連結状態において主体部２の駆動ローラー８と搬入台部３ａ及び搬出台部３ｂにおけるローラーコンベア３１及びキャスターコンベア３２の各円周上端部位が同水平面上となるように構成されている。
【００２２】
この実施例における貼着機１は、主体部２のテンション杆６方向側の連結孔３５に搬入台部３ａの連結ピン３３を、その反対向の連結孔３５に搬出台部３ｂの連結ピン３３を嵌込んだ連結状態で据付け位置固定ストッパー２４を踏作動して各移動用キャスター２３を浮き上げることにより所望作業場に据付け、被装シートＢを被装シートロール５の下方位置からテンション杆６方向に引出してこのテンション杆６の上方から掛け、接着剤塗布面を搬入台部３ａ方向に向けて押圧ローラー７と駆動ローラー８の前面に垂下げた状態にして（図７二点鎖線）駆動モーターにより駆動ローラー８を反時計回り方向に回転させ（図２）、被貼着板Ａを搬入台部３ａのローラーコンベア３１及びキャスターコンベア３２上に載置して貼着部２方向に給送するもので、この給送にあっては図示していないが位置決めガイドに沿って給送すると給送方向が規制され好都合である。
【００２３】
被貼着板Ａは、給送移動に伴ない駆動ローラー８と押圧ローラー７の前面に垂下された被装シートＢをその先端縁で折曲げつつ先方部位がサンドイッチ状に挟まれた状態で駆動ローラー８と押圧ローラー７間に押込まれ、スプリング１８により付勢された押圧ローラー７で押圧されつつ駆動ローラー８の回転によりこの間を通過するに伴なって、被装シートＢの接着剤塗布面が被貼着板Ａの板面の送り方向先端部位から順次圧接されながら貼着され搬出台部３ｂ方向に排送される。
【００２４】
テンション機構１２は、前記被装シートＢの貼着作業過程において、テンション杆６を水平状態で全体的に上方若くは下方に移動させることにより張力を調整すると共に、例えば図３において、右側の機構１２によりテンション杆６を右側片方だけ下方向に移動調整することにより被装シートＢを左方向にずれるように送り、上方向への移動調整により右方向にずれるように送るごとく、繰り出される送り方向を偏向調整して被貼着板Ａの送り方向とのずれを調整してその整合をはかるものである。
【００２５】
また、押圧ローラー７の昇降押圧調整機構は、垂直ボルト１５を回動操作して軸承体１４を昇降動することにより駆動ローラー８と押圧ローラー７の間隙寸法を調整して、被貼着板Ａの板厚寸法に対応すると共に、貼着時における押下圧（圧接力）も調整するものである。
【００２６】
前記貼着作業が終了した際は、主体部２及び搬入台部３ａ、搬出台部３ｂそれぞれの据付け位置固定ストッパー２４を解除して移動用キャスター２３により移動可能状態とすると共に、主体部２と搬入台部３ａ、搬出台部３ｂの各連結手段における連結孔３５から連結ピン３３を抜脱して切離してそれぞれを工場内の隅などに移動させるか、他の被貼着板Ａが積重ねられた場所まで移動させてから、再びこれらを連結すると共に位置固定して据付けて貼着作業を可能状態とする。
【００２７】
なお、この実施例にあっては、傷が付きやすいアルミニウム板や光り物とされるステンレススケール板の板面を保護するために、合成樹脂製の被装シートを貼着する態様を示すものであるが、宣伝広告プレートなどに、所望の文句が印刷されたシートを貼着する場合にも供されるなど多様である。
【００２８】
この実施例における被装シートの貼着機１は、被貼着板Ａの板面に被装シートＢを貼着する主体部２と、この主体部２に被貼着板Ａを給送する搬入台部３ａと、主体部２において被装シートＢが貼着された被貼着板Ａを排送する搬出台部３ｂから概略構成され、主体部２は、被装シートＢを巻回した被装シートロール５を横架する架台部と、被装シートＢが掛けられたテンション杆６を移動調整して、貼着時における被装シートＢの張力及び送り方向を偏向調整し、被貼着板Ａの送り方向とのずれを整合するテンション機構１２と、搬入台部３ａから給送された被貼着板Ａを、駆動ローラー８と、この駆動ローラー８方向への昇降押圧調整機構を有する押圧ローラー７との間に通過させるに伴ない、この被貼着板Ａの板面に送り方向先端部位から順次被装シートＢを圧接しながら貼着しつつ搬出台部３ｂ方向に排送する貼着部を備えているものであるから、搬入台部上に被貼着板を載置して主体部に給送し、駆動ローラーと押圧ローラー間を通過させるだけで板面の先端部位から被装シートが順次貼着されるので、被貼着板と被装シートの間に空気が入ることなく貼着され、また押圧ローラーを昇降押圧調整機構により調整動することにより、被貼着板の板厚寸法や、被装シートの圧接力を調整することも可能であると共に、被装シートの送りをテンション機構により偏向調整することにより、被貼着板の送り方向とのずれをなくすことができるので、被装シートがずれることなく板面上に貼着され、更に、この貼着機を構成する主体部と搬入台部と搬出台部のそれぞれは、切離し可能な連結手段により連結されており、しかもそれぞれは、移動用キャスターと、据付け位置固定ストッパーによる移動、据付け位置固定手段を備えており、それぞれを別個に移動できると共に、所望設置場所でこれらを連結して据付けることができるから、多数の被貼着板が積重ねられた場所ごとで貼着作業ができることとなるもので、被装シートが正確、綺麗に貼着できるばかりか、簡易作業ともなり、生産、作業能率の向上に益するものである。
【図面の簡単な説明】
【００２９】
【図１】全体側面図。
【図２】一部側面図。
【図３】主体部の正面図。
【図４】テンション機構の側面図。
【図５】搬入台部を切離した状態の一部側面図。
【図６】搬出台部を切離した状態の一部平面図。
【図７】被装シートの貼着状態を示す簡略図。
【符号の説明】
【００３０】
Ａ      被貼着板
Ｂ      被装シート
１      貼着機
２      主体部
３ａ    搬入台部
３ｂ    搬出台部
４      機台
５      被装シートロール
６      テンション杆
７      押圧ローラー
８      駆動ローラー
１１    軸承台
１２    テンション機構
２１    駆動モータ
２３    移動用キャスター
２４    据付け位置固定ストッパー
３１    ローラーコンベア
３２    キャスターコンベア
３３    連結ピン
３４    受板
３５    連結孔
【図１】
2005041533.tif 000003
【図２】
2005041533.tif 000004
【図３】
2005041533.tif 000005
【図４】
2005041533.tif 000006
【図５】
2005041533.tif 000007
【図６】
2005041533.tif 000008
【図７】
2005041533.tif 000009